(57)【要約】  開口部（２２）を有するケージ（１４）と、雌ネジが設けられ前記開口部（２２）を通って前記ケージ（１４）の外側に突出する筒状突出部（１６）及び拡大保持部（１８）を有し、前記ケージ（１４）内に収容されるナット本体（１２）と、前記ケージ（１４）と前記筒状突出部（１６）との間に配置された絶縁部材（２４）と、を備え、前記開口部（２２）の内径は前記筒状突出部（１６）の外径よりも大きく、前記保持部（１８）の外径よりも小さく構成されている電気絶縁ケージナット（１０）において、前記絶縁部材（２４）は単一部材に構成され、当該ケージナット（１０）は３つの構成要素（１２、１４、２４）のみから成ることを特徴とする電気絶縁ケージナット（１０）。【選択図】図１
2013531192.tif 000002
【特許請求の範囲】
【請求項１】
開口部（２２）を有するケージ（１４）と、雌ネジが設けられ前記開口部（２２）を通って前記ケージ（１４）の外側に突出する筒状突出部（１６）及び拡大保持部（１８）を有し、前記ケージ（１４）内に収容されるナット本体（１２）と、前記ケージ（１４）と前記筒状突出部（１６）との間に配置された絶縁部材（２４）と、を備え、前記開口部（２２）の内径は前記筒状突出部（１６）の外径よりも大きく、前記保持部（１８）の外径よりも小さく構成されている電気絶縁ケージナット（１０）において、
前記絶縁部材（２４）は単一部材に構成され、当該ケージナット（１０）は３つの構成要素（１２、１４、２４）のみから成ることを特徴とする電気絶縁ケージナット（１０）。
【請求項２】
請求項１に記載の電気絶縁ケージナット（１０）において、前記絶縁部材（２４）は、当該絶縁部材（２４）を前記筒状突出部（１６）に固着する中空筒部（２６）を備え、前記中空筒部（２６）は、その両端部に外側へ平面状に延在する絶縁板部（３０，３２）を有し、前記絶縁板部（３０，３２）間にて前記開口部（２２）のエッジ部（３４）が前記筒状突出部（１６）の回転軸に対して少なくとも半径方向に移動可能にケージ（１４）内に受け入れられるように構成されていることを特徴とする電気絶縁ケージナット（１０）。
【請求項３】
請求項２に記載の電気絶縁ケージナット（１０）において、前記保持部（１８）上に配置された前記絶縁板部（３２）は、前記ナット本体（１２）が水平位置、上向き又は横向きであろうと前記ケージ（１４）に接触しないように、前記保持部（１８）全体を前記ケージ（１４）に対して小さな突出部により覆うことを特徴とする電気絶縁ケージナット（１０）。
【請求項４】
請求項３に記載の電気絶縁ケージナット（１０）において、前記保持部（１８）上に配置された前記絶縁板部（３２）の外形は略長方形であって、２つの対向する長辺を備えることを特徴とする電気絶縁ケージナット（１０）。
【請求項５】
請求項１乃至４のいずれかに記載の電気絶縁ケージナット（１０）において、前記保持部（１８）と反対側の前記絶縁板部（３０）は、外側に円弧状に湾曲した略長方形であることを特徴とする電気絶縁ケージナット（１０）。
【請求項６】
前記絶縁部材（２４）を前記ケージ（１４）に横方向に挿入する工程と、前記ナット本体（１２）を前記絶縁部材（２４）内に軸方向に押し入れる若しくは圧入しコーキングする工程と、を有する請求項１乃至５のいずれかに記載の電気絶縁ケージナット（１０）の生産方法。
【発明の詳細な説明】
【技術分野】
【０００１】
この発明は、ケージ内に収容されるナット本体を備える電気絶縁ケージナットに関するものであり、前記ナット本体は筒状突出部及び拡大保持部を備え、前記筒状突出部が雌ネジを有し、前記ケージの開口部から外部に突出しており、前記開口部の内径は、前記筒状突出部（ナット）の外径よりも非常に大きいが、前記保持部（前記ナットのフランジ部）の外径よりも小さく構成され、前記ケージと前記筒状突出部との間には絶縁部材が配置される。
【０００２】
この種の電気絶縁ケージナットは、部品に固定されたナットの雌ネジが、部品の静電塗装（例えば、電気泳動塗装）中にコーティング材料や仕上げ剤で詰まることを防ぐ必要がある場合に用いられる。
【背景技術】
【０００３】
特許文献１及び特許文献２による従来技術によれば、この技術分野における従来の標準的なこの種の電気絶縁ケージナットは、外部からケージの開口部に押し込まれ、ナット本体の筒状突出部に固定された絶縁シムにより保持される２部分絶縁要素を備える。
【０００４】
これら従来技術は、通常少なくとも４つ独立した部品を必要とするため、複雑で煩雑な生産方法が必要となり、更にこの構成は、あらゆる設置位置（浸漬コーティング槽に通す際のオーバヘッド懸垂及びラテラル懸垂）において安定性を欠き、耐久性にも優れない。
【先行技術文献】
【特許文献】
【０００５】
【特許文献１】ドイツ実用新案第9409087号公報
【特許文献２】ドイツ特許第19533138号明細書
【発明の概要】
【発明が解決しようとする課題】
【０００６】
従って、本願発明の目的は、製法がより簡単になり、コストエフェクティブになるようなこの種の電気絶縁ケージナットを開発することにあり、同時に、ケージナットのあらゆる設置位置における信頼性及び安定性を著しく向上させることにある。
【課題を解決するための手段】
【０００７】
この目的は、本願発明に従って絶縁部材を単一部材で構成することにより達成され、その結果、３つの部品が必要とされるのみとなる。
【０００８】
特に、前記絶縁部材は、当該絶縁部材を前記筒状突出部に固着する中空筒部を備え、前記中空筒部は、その両端部に外側方向へ平面状に延在する絶縁板部を有し、当該絶縁板部間にて前記開口部のエッジ部が前記筒状突出部の回転軸に対して少なくとも半径方向に移動可能に前記ケージ内に受け入れられるように構成することが好ましい。
【０００９】
特に、前記保持部上に配置された前記絶縁板部は、前記保持部全体をケージに対して覆うように配置されることが好ましい。また、可能な限り少ない部品点数によりねじれ防止及び絶縁効果を達成するために、前記保持部上に配置された前記絶縁板部は、細長い長方形であり、互いに対向する２つの長辺を備えることが好ましい。前記保持部と反対側の前記絶縁板部は、外側に円弧状に湾曲した略長方形とすることが特に好ましい。本願発明によるケージナットは、前記絶縁部材を側方からケージ内に挿入し、ナット本体を前記絶縁部材内に前記軸方向に押し入れる若しくは圧入しコーキングすることによって、特に簡単にコストエフェクティブに生産することができる。
【００１０】
以下に、添付の図面に示される本願発明の実施形態を参照しながら発明の詳細を説明する。
【図面の簡単な説明】
【００１１】
【図１】本願発明に係るケージナットの軸方向に沿った断面図を示すものである。
【図２】本願発明に係るケージナットのねじ込み側から見た図である。
【図３】本願発明に係るケージナットを各方向からみた図を示すものである。
【図４】本願発明に係るケージナットを各方向からみた図を示すものである。
【図５】本願発明に係るケージナットを各方向からみた図を示すものである。
【図６】本願発明に係るケージナットを各方向からみた図を示すものである。
【発明を実施するための形態】
【００１２】
図１は、ねじ込み軸に沿って切断された本願発明に係るケージナットを示すものである。
【００１３】
本願発明に従い図示されたケージナット１０は、ケージ１４内に収容されたナット本体１２を備える。ナット本体１２は、筒状突出部１６及び拡大保持部１８を備える。筒状突出部１６は、同軸の雌ネジ２０を有し、ケージ１４内の開口部２２を通って突出している。
【００１４】
開口部２２の内径は、筒状突出部１６の外径よりも非常に大きいが、保持部１８の外径よりも小さい構成となっている。
【００１５】
ここで、ナット本体１２をケージ１４内に容易に組み付けることができるように、開口部２２はその一端に向かって開口している。
【００１６】
本願発明によると、単一部材に構成された絶縁部材２４は、ケージ１４と筒状突出部１６との間に配置される。絶縁部材２４は中空の筒部２６を備え、この中空筒部２６により筒状突出部１６に固着される。この際に、絶縁部材２４は、ナット本体１２の筒状突出部１６に対して締まり嵌めや接着により、或いは本実施形態においてコーキング溝２８に関連して示すようなコーキングにより固着することが可能である。ナット本体１２の筒状突出部１６と絶縁部材２４との間のコーキングは、１２０度間隔の３点で、若しくは９０度間隔の４点（図示せず）で行われることが好ましい。その結果として、ナット本体１２は抜け落ちないようにケージ１４及び絶縁部材２４内に保持される。絶縁部材２４の中空筒部２６は、その両端部から外方へ平坦状に伸びる絶縁板部３０、３２を備えている。これら２つの絶縁板部３０、３２は、ケージ１４が絶縁板部３０及び３２の間でわずかに動くことができる（締め付けられていない）ように、軸方向において互いに所定の距離を隔てて中空筒部２６に対して取り付けられている。絶縁板部３０、３２がその表面全域でケージ１４と接するのではなく接点のみで接するように、４点の隆起部（図示せず）が絶縁板部３０、３２に取り付けられている。従って、コーティング材料の粘着力や結合力による接着が抑制される。開口部２２のエッジ部３４は、筒状突出部１６の回転軸線に対して少なくとも半径方向に移動可能となるように、ケージ１４内で絶縁板部３０、３２の間に受け入れられる。
【００１７】
保持部１８とは反対側の絶縁板部３０の形状は、外側に円弧状に湾曲した略長方形であるが、保持部１８上に配置された絶縁板部３２は、ナット本体１２が水平向き、上向き、横向きであろうとケージ１４と直接接触することがないように、保持部１８全体をケージ１４に対して小さい突出部により覆う構成となっている。これによりナット本体１２を絶縁状態とする。従って、通電は生じない。
【００１８】
保持部１８は厚く、円筒状円盤の対向する２つの側部が切り落とされたような形状となっている。
【００１９】
本願発明によれば、電気絶縁ケージナットの製造は極めて簡素化され、電気絶縁ケージナットの機械的耐久性も一段と向上する。同時に、ナット本体１２とケージ１４との間の絶縁性も向上させることができる。
【図１】
2013531192.tif 000003
【図２】
2013531192.tif 000004
【図３】
2013531192.tif 000005
【図４】
2013531192.tif 000006
【図５】
2013531192.tif 000007
【図６】
2013531192.tif 000008
【国際調査報告】
2013531192.tif 000009
2013531192.tif 000010
2013531192.tif 000011
2013531192.tif 000012